(57)【要約】【課題】合紙の製造時から使用時までの間及び保管時から使用時までの間、その合紙の含有水分量の変化を抑制することができる平版印刷版用合紙の包装方法の提供を課題とする。【解決手段】平版印刷版１０の感光層又は感熱層を保護する合紙１２の包装方法であって、合紙１２を、防湿性を有する材料２２、２４で密封包装する。【選択図】      図３
2004168366.tif 000002
【特許請求の範囲】
【請求項１】
平版印刷版の感光層又は感熱層を保護する合紙の包装方法であって、
前記合紙を、防湿性を有する材料で密封包装することを特徴とする平版印刷版用合紙の包装方法。
【請求項２】
前記防湿性を有する材料は、樹脂フィルムであることを特徴とする請求項１に記載の平版印刷版用合紙の包装方法。
【請求項３】
前記樹脂フィルムは、透湿度が２４時間当たり１００ｇ／ｍ２以下であることを特徴とする請求項２に記載の平版印刷版用合紙の包装方法。
【請求項４】
前記樹脂フィルムは、厚さが１０μｍ以上であることを特徴とする請求項２又は３に記載の平版印刷版用合紙の包装方法。
【請求項５】
前記防湿性を有する材料の一部には、厚さが１０μｍ以上のポリエチレンが使用されていることを特徴とする請求項１に記載の平版印刷版用合紙の包装方法。
【請求項６】
前記防湿性を有する材料で密封包装する際、乾燥剤を装入することを特徴とする請求項１乃至５の何れかに記載の平版印刷版用合紙の包装方法。
【請求項７】
前記合紙がコイル状に巻き取られた合紙コイルであり、一部使用した合紙コイルを次の使用時まで前記防湿性を有する材料で密封包装することを特徴とする請求項１乃至６の何れかに記載の平版印刷版用合紙の包装方法。
【請求項８】
前記合紙がコイル状に巻き取られた合紙コイルであり、該合紙コイルの外周面を、防湿性を有する第１の材料で巻き、次いで前記合紙コイルの両端面を、防湿性を有する第２の材料で覆い、該第２の材料の周縁部を、前記第１の材料に重ね合わせて封着することにより、密封包装することを特徴とする請求項１乃至７の何れかに記載の平版印刷版用合紙の包装方法。
【請求項９】
前記合紙がコイル状に巻き取られた合紙コイルであり、該合紙コイルの両端面を、防湿性を有する第１の材料で覆い、次いで前記合紙コイルの外周面を、防湿性を有する第２の材料で巻き、該第２の材料の両端部を、前記第１の材料に重ね合わせて封着することにより、密封包装することを特徴とする請求項１乃至７の何れかに記載の平版印刷版用合紙の包装方法。
【請求項１０】
前記合紙がコイル状に巻き取られた合紙コイルであり、該合紙コイルの外周面を、防湿性を有する材料で巻き、該材料の両端部を寄せ集めながら重ね合わせて封着することにより、密封包装することを特徴とする請求項１乃至７の何れかに記載の平版印刷版用合紙の包装方法。
【発明の詳細な説明】
【０００１】
【発明の属する技術分野】
本発明は、平版印刷版の感光層又は感熱層を保護する合紙を保管する際や運搬（輸送）する際の包装方法に関する。
【０００２】
【従来の技術】
近年の製版法（電子写真製版法を含む）では、製版工程の自動化を容易にするべく、感光性印刷版や感熱性印刷板等の平版印刷版が広く用いられている。平版印刷版は、一般にシート状あるいはコイル状のアルミニウム板等の支持体に、例えば、砂目立て、陽極酸化、シリケート処理、その他化成処理等の表面処理を単独又は適宜組み合わせて行い、次いで、感光層又は感熱層（以下、総称して「塗布膜」という場合があり、塗布膜が形成された面を「画像形成面」という場合がある）の塗布、乾燥処理を行った後に、所望のサイズに切断されることで製造される。
【０００３】
そして、この平版印刷版には、露光、現像処理、ガム引き等の製版処理が行われ、印刷機にセットされ、インクが塗布されることで、紙面に文字、画像等が印刷されるようになっている。
【０００４】
ところで、このような平版印刷版は、画像形成面（塗布膜）を保護するために、合紙と呼ばれる紙をその画像形成面（塗布膜）に重ね合わせることがある（例えば、特許文献１〜４参照）。つまり、平版印刷版を効率よく荷扱い（運搬や保管等）するために、複数の平版印刷版を厚み方向に積層して束にすることがあるが、この場合に、上記した合紙を各画像形成面（塗布膜）に重ね合わせて積層し、画像形成面（塗布膜）を保護する。
【０００５】
【特許文献１】
特開平２−２５８４５号公報
【特許文献２】
特開平３−３６５４５号公報
【特許文献３】
特開平１０−１９７９９２号公報
【特許文献４】
特開平１０−２８２６８１号公報
【０００６】
【発明が解決しようとする課題】
しかしながら、このような合紙は、平版印刷版の画像形成面（塗布膜）に重ね合わせる作業以前、即ち保管時や運搬（輸送）時等において、吸湿あるいは放湿することがあり、その場合には、次の（１）、（２）のような問題が生じるおそれがある。
【０００７】
（１）合紙の平面性不良
合紙に含有されている水分量の変化に起因して、吸湿しわ等が発生する場合があり、この状態で平版印刷版の画像形成面（塗布膜）に重ね合わせると、その画像形成面（塗布膜）が損傷したり（特に感熱層である場合に損傷しやすい）、感度変化等の変質が引き起こされる（特に高感度の感光層である場合に変質しやすい）。
【０００８】
（２）合紙の伸縮
合紙に含有されている水分量の変化に起因して、吸湿伸び等が発生する場合があり、この状態で平版印刷版の画像形成面（塗布膜）に重ね合わせると、平版印刷版と合紙の寸法が異なることに起因する平版印刷版の揃え不良が発生する。
【０００９】
そこで、本発明は、合紙に含有されている水分量の変化による平版印刷版の画像形成面（塗布膜）への影響を回避するため、合紙の製造時から使用時までの間及び保管時から使用時までの間において、その合紙の含有水分量の変化を抑制する（含有水分量を維持管理する）ことができる平版印刷版用合紙の包装方法を得ることを目的とする。
【００１０】
【課題を解決するための手段】
上記の目的を達成するために、本発明に係る請求項１に記載の平版印刷版用合紙の包装方法は、平版印刷版の感光層又は感熱層を保護する合紙の包装方法であって、前記合紙を、防湿性を有する材料で密封包装することを特徴としている。
【００１１】
請求項１に記載の発明では、防湿性を有する材料で合紙を密封包装するため、合紙に含有されている水分量の変化を抑制することができ、含有水分量の変化に起因する合紙の平面性不良や伸縮を抑制することができる。したがって、平版印刷版の画像形成面（塗布膜）に重ね合わせたとき、その画像形成面（塗布膜）の損傷や変質を防止することができ、平版印刷版の揃え不良も防止することができる。
【００１２】
また、請求項２に記載の平版印刷版用合紙の包装方法は、請求項１に記載の平版印刷版用合紙の包装方法において、前記防湿性を有する材料が、樹脂フィルムであることを特徴としている。
【００１３】
請求項２に記載の発明では、防湿性を有する材料が樹脂フィルムであるため、合紙の含有水分量の変化を好適に抑制する（含有水分量を好適に維持管理する）ことができる。
【００１４】
更に、請求項３に記載の平版印刷版用合紙の包装方法は、請求項２に記載の平版印刷版用合紙の包装方法において、前記樹脂フィルムの透湿度が２４時間当たり１００ｇ／ｍ２以下であることを特徴としている。
【００１５】
請求項３に記載の発明では、合紙を包装する樹脂フィルムの透湿度が２４時間当たり１００ｇ／ｍ２以下であるため、合紙の含有水分量の変化をより一層好適に抑制する（含有水分量をより一層好適に維持管理する）ことができる。
【００１６】
また、請求項４に記載の平版印刷版用合紙の包装方法は、請求項２又は３に記載の平版印刷版用合紙の包装方法において、前記樹脂フィルムの厚さが１０μｍ以上であることを特徴としている。
【００１７】
請求項４に記載の発明では、合紙を包装する樹脂フィルムの厚さが１０μｍ以上であるため、合紙の含有水分量の変化を更に好適に抑制する（含有水分量を更に好適に維持管理する）ことができる。
【００１８】
また、請求項５に記載の平版印刷版用合紙の包装方法は、請求項１に記載の平版印刷版用合紙の包装方法において、前記防湿性を有する材料の一部には、厚さが１０μｍ以上のポリエチレンが使用されていることを特徴としている。
【００１９】
請求項５に記載の発明では、防湿性を有する材料の一部に、厚さが１０μｍ以上のポリエチレンが使用されているので、合紙の含有水分量の変化を好適に抑制する（含有水分量を好適に維持管理する）ことができる。
【００２０】
そして、請求項６に記載の平版印刷版用合紙の包装方法は、請求項１乃至５の何れかに記載の平版印刷版用合紙の包装方法において、前記防湿性を有する材料で密封包装する際、乾燥剤を装入することを特徴としている。
【００２１】
請求項６に記載の発明では、防湿性を有する材料で合紙を密封包装する際、その中に乾燥剤を装入するので、合紙に含有されている水分量を好適に維持管理することができる。したがって、含有水分量の変化に起因する合紙の平面性不良や伸縮を抑制することができ、画像形成面（塗布膜）に対する損傷や変質を防止できるとともに、平版印刷版の揃え不良を防止することができる。
【００２２】
また、請求項７に記載の平版印刷版用合紙の包装方法は、請求項１乃至６の何れかに記載の平版印刷版用合紙の包装方法において、前記合紙がコイル状に巻き取られた合紙コイルであり、一部使用した合紙コイルを次の使用時まで前記防湿性を有する材料で密封包装することを特徴としている。
【００２３】
請求項７に記載の発明では、合紙がコイル状に巻き取られているので、取り扱いがしやすく、かつ、一部使用した合紙を再度防湿性を有する材料で密封包装するので、合紙に含有されている水分量を好適に維持管理することができる。
【００２４】
また、請求項８に記載の平版印刷版用合紙の包装方法は、請求項１乃至７の何れかに記載の平版印刷版用合紙の包装方法において、前記合紙がコイル状に巻き取られた合紙コイルであり、該合紙コイルの外周面を、防湿性を有する第１の材料で巻き、次いで前記合紙コイルの両端面を、防湿性を有する第２の材料で覆い、該第２の材料の周縁部を、前記第１の材料に重ね合わせて封着することにより、密封包装することを特徴としている。
【００２５】
請求項８に記載の発明では、合紙がコイル状に巻き取られているので、取り扱いがしやすく、かつ、コイル状に巻き取られた合紙を好適に密封包装することができる。
【００２６】
また、請求項９に記載の平版印刷版用合紙の包装方法は、請求項１乃至７の何れかに記載の平版印刷版用合紙の包装方法において、前記合紙がコイル状に巻き取られた合紙コイルであり、該合紙コイルの両端面を、防湿性を有する第１の材料で覆い、次いで前記合紙コイルの外周面を、防湿性を有する第２の材料で巻き、該第２の材料の両端部を、前記第１の材料に重ね合わせて封着することにより、密封包装することを特徴としている。
【００２７】
請求項９に記載の発明では、合紙がコイル状に巻き取られているので、取り扱いがしやすく、かつ、コイル状に巻き取られた合紙を好適に密封包装することができる。
【００２８】
更に、請求項１０に記載の平版印刷版用合紙の包装方法は、請求項１乃至７の何れかに記載の平版印刷版用合紙の包装方法において、前記合紙がコイル状に巻き取られた合紙コイルであり、該合紙コイルの外周面を、防湿性を有する材料で巻き、該材料の両端部を寄せ集めながら重ね合わせて封着することにより、密封包装することを特徴としている。
【００２９】
請求項１０に記載の発明では、合紙がコイル状に巻き取られているので、取り扱いがしやすく、かつ、コイル状に巻き取られた合紙を好適に密封包装することができる。
【００３０】
【発明の実施の形態】
以下、本発明の実施の形態を図面に示す実施例を基に詳細に説明する。まず、最初に平版印刷版について簡単に説明する。なお、ここで言う、平版印刷版とは、印刷に必要な処理（露光や現像等）が施される前段階のものを指し、場合によっては平版印刷版原版あるいは平版印刷版材と称されることがある。
【００３１】
平版印刷版は、シート状あるいはコイル状の薄い（例えば、厚さが０．１〜０．５ｍｍ程度の）アルミニウム板が所定の大きさ（例えば、長辺が３００〜３５００ｍｍ、短辺が２００〜１５００ｍｍ程度の長方形状）に切断されて形成され、その薄いアルミニウム製の支持体上（表裏どちらか一方又は両方の面上）に、塗布膜（感光性印刷版の場合には感光層、感熱性印刷版の場合には感熱層）が形成されて、画像形成面とされている。
【００３２】
そして、この画像形成面（塗布膜）に、露光、現像処理、ガム引き等の製版処理が行われ、その平版印刷版が印刷機にセットされて、インクが塗布されることで、転写用の紙面に、文字、画像等が印刷されるようになっている。
【００３３】
また、このような平版印刷版は、感光層又は感熱層中の成分を種々選択することにより、種々の製版方法に対応した平版印刷版とすることが可能となっている。特に近年では、レーザーで露光する高感度感光タイプの塗布膜が形成された平版印刷版や、感熱タイプの平版印刷版が使用されており、具体的な実施態様としては、次の（１）〜（１１）が例として挙げられるが、平版印刷版の具体的構成は下記実施態様に特に限定されるものではなく、例えば、ヒートモード方式及びフォトン方式のレーザー刷版用の平版印刷版とすることによって、デジタルデータから直接製版可能な平版印刷版とすることもできる。
【００３４】
（１）感光層が、赤外線吸収剤、熱によって酸を発生する化合物、酸によって架橋する化合物を含有する態様。
（２）感光層が、赤外線吸収剤、熱によってアルカリ溶解性となる化合物を含有する態様。
（３）感光層が、レーザー光照射によってラジカルを発生する化合物、アルカリに可溶のバインダー、多官能性のモノマーあるいはプレポリマーを含有する層と、酸素遮断層との２層を含む態様。
（４）感光層が、物理現像核層とハロゲン化銀乳剤層との２層からなる態様。
（５）感光層が、多官能性モノマーと多官能性バインダーとを含有する重合層と、ハロゲン化銀と還元剤とを含有する層と、酸素遮断層の３層を含む態様。
（６）感光層が、ノボラック樹脂とナフトキノンジアジドとを含有する層と、ハロゲン化銀を含有する層の２層を含む態様。
（７）感光層が、有機光導電体を含む態様。
（８）感光層が、レーザー光照射によって除去されるレーザー光吸収層と、親油性層及び／又は親水性層とからなる２〜３層を含む態様。
（９）感光層が、エネルギーを吸収して酸を発生する化合物、酸によってスルホン酸又はカルボン酸を発生する官能基を側鎖に有する高分子化合物、可視光を吸収することで酸発生剤にエネルギーを与える化合物を含有する態様。
（１０）感光層が、キノンジアジド化合物とノボラック樹脂とを含有する態様。
（１１）感光層が、光又は紫外線により分解して自己もしくは層内の他の分子との架橋構造を形成する化合物と、アルカリに可溶のバインダーとを含有する態様。
【００３５】
以上のような構成の平版印刷版において、それを荷扱いする（運搬（輸送）や保管等をする）ときには、図１で示すように、平版印刷版１０の画像形成面（塗布膜）に合紙１２が重ね合わされて、その画像形成面（塗布膜）を保護するようになっている。すなわち、平版印刷版１０と合紙１２とが交互に厚み方向に積層されて積層束１４とされ、更にその積層束１４の上面及び下面に、保護用厚紙１６が配置されて包装紙１８で包装され、図２で示すように、粘着テープ２０等によって、その包装紙１８の端部が所定位置で貼り付けられることにより、荷扱い可能な状態とされている。
【００３６】
したがって、平版印刷版１０は確実に遮光及び防湿された状態で荷扱いされるが、平版印刷版１０の種類や運搬方法等に応じて、積層束１４及び保護用厚紙１６を包装紙１８によって包装することなく、直接段ボール箱等の外装箱によって包装してもよく、パレットやスキッド等の積載部材（紙製や樹脂製及び金属製等、材質は特に限定されない）に積載して、更に容易に荷扱いできるようにしてもよい。
【００３７】
また、１つの積層束１４を構成する平版印刷版１０の数は特に限定されないが、荷扱いの効率化の観点等から言えば、例えば１０枚〜２００枚とされることが好ましい。また、少ない回数で運搬（輸送）できるように、多量の平版印刷版１０によって積層束１４を構成するようにしてもよい。例えば、平版印刷版１０の枚数を最大で３０００枚程度とし、平版印刷版１０の２０枚〜１００枚ごとに保護用厚紙１６を装入するようにしてもよいし、平版印刷版１０の枚数を最大で１５００枚程度とし、その上下にのみ保護用厚紙１６を配置するようにしてもよい。更に、平版印刷版１０の種類によっては、保護用厚紙１６を省略してもよい。
【００３８】
また、保護用厚紙１６の材料としては、段ボール、木材パルプ、麻等の天然繊維、ポリオレフィン等の線状高分子から得られる合成パルプ、再生セルロース等を単独又は混合して使用することができるが、もちろんこれらの材料に限定されるものではない。ただし、段ボールや木材パルプ等を選択すると、保護用厚紙１６を低コストで製造できるので好ましい。
【００３９】
何れにしても、こうして荷扱い可能に構成された平版印刷版１０は、合紙１２の剥離と平版印刷版１０の供給を自動で行う自動給版機能を持った自動製版機や、いわゆるプレートセッター等にセットされて給版されるようになっている。すなわち、包装紙１８等から取り出され、保護用厚紙１６が取り除かれた積層束１４は、プレートセッター等にセットされ、順次合紙１２が剥離されながら製版工程へ供給（給版）されるようになっている。
【００４０】
さて、次にその合紙１２について更に詳細に説明すると、合紙１２は、平版印刷版１０の画像形成面（塗布膜）を好適に保護でき、かつ、その画像形成面（塗布膜）からの剥離性が良好であれば、具体的な構成は特に限定されるものではなく、安価な材質で構成されていても構わない。例えば、木材パルプを１００％使用した紙や、木材パルプを１００％使用しないで合成パルプを使用した紙、更には、これらの紙の表面に低密度ポリエチレン（ＬＤＰＥ）層を設けた紙等を使用することができる。具体的に言うと、例えば漂白クラフトパルプから抄造した坪量２０〜６０ｇ／ｍ２、密度０．６０〜０．９０ｇ／ｃｍ３、水分値４．０〜７．０％、ｐＨ４〜６の合紙等が挙げられる。
【００４１】
このような合紙１２は、通常、取り扱いがしやすいように、コイル状に巻回されて運搬（輸送）されたり、保管されたりするようになっており、平版印刷版１０の画像形成面（塗布膜）に重ね合わせるときには、所定の繰り出し位置にセットされて、その画像形成面（塗布膜）へ重ね合わされながら、所定の長さに切断されるようになっている。そして、この合紙１２は、運搬（輸送）時や保管時等の不使用時（平版印刷版１０に重ね合わせる作業をしないとき）には、防湿性を有する材料で密封包装されて、それに含有されている水分量の維持管理がなされるようになっている。
【００４２】
すなわち、合紙１２に含有されている水分量（４．０％〜７．０％の水分値）に変化が生じると、下記表１の「防湿無し」で示す（従来技術で説明した）ような不具合が平版印刷版１０に起こるため、合紙１２を保管するときや運搬（輸送）するときには、図３、図４、図５で示すように、防湿材料２２、２４、２６で密封包装するようになっている。
【００４３】
【表１】
2004168366.tif 000003
【００４４】
なお、ここで言う防湿材料２２、２４、２６とは、樹脂製フィルムや金属製フィルム、金属蒸着樹脂製フィルム、防湿剤が含まれた防湿紙などであり、それを図示のように、コイル状に巻回された合紙１２に１周巻（単層）又は複数周巻（複層）するが、そのとき、１種類の防湿材料で周巻してもよいし、複数種類の防湿材料で周巻してもよい。また、クラフト紙等と貼り合わせて周巻してもよい。
【００４５】
更に、そのときの防湿材料２２、２４、２６の固定（密封）方法としては、端部を粘着テープ２０等で止めて封着してもよいし、糊等で接着したり、図示しないクリップ等で封止（封着）するようにしてもよい。また、こうして密封包装した合紙１２は、防湿性のある（湿度を維持管理できる）場所で保管することが好ましい。
【００４６】
また、表２で示すように、防湿材料２２、２４、２６の透湿度（ＪＩＳ  Ｚ  ０２０８）は、１００ｇ／ｍ２・２４ｈｏｕｒ（２４時間当たり１００ｇ／ｍ２）以下であることが望ましく、その厚さは、１０μｍ以上であることが好ましい。特に、厚さ１０μｍ以上のポリエチレン（ＰＥ）、例えば低密度ポリエチレン（ＬＤＰＥ）が一部に使用されるような防湿材料２２、２４、２６であると好適である。
【００４７】
【表２】
2004168366.tif 000004
【００４８】
ここで、更に具体的に樹脂製フィルムの種類を挙げると、低密度ポリエチレン（ＬＤＰＥ）、高密度ポリエチレン（ＨＤＰＥ）、無延伸ポリプロピレン（ＣＰＰ）、延伸ポリプロピレン（ＯＰＰ）、ポリエチレンテレフタレート（ＰＥＴ）、無延伸ナイロン（ＣＮＹ）、延伸ナイロン（ＯＮＹ）、ポリスチレン（ＰＳ）、ポリカーボネート（ＰＣ）、ポリ塩化ビニール（硬質）、ポリ塩化ビニリデン（ＰＶＤＣ）、セロハン、塩ビ系防湿セロハン、塩化ビニリデン系防湿セロハン、ビニロン（延伸）、エバール、塩化ビニリデンコート延伸ポリプロピレンなどが適用可能である。
【００４９】
また、金属としてアルミニウムを蒸着する場合の基材となる樹脂製フィルムは、低密度ポリエチレン（ＬＤＰＥ）、高密度ポリエチレン（ＨＤＰＥ）、無延伸ポリプロピレン（ＣＰＰ）、延伸ポリプロピレン（ＯＰＰ）、ポリエチレンテレフタレート（ＰＥＴ）、無延伸ナイロン（ＣＮＹ）、延伸ナイロン（ＯＮＹ）などである。
【００５０】
そして更に、高防湿複合フィルムとしては、塩化ビニリデンコートセロハン／ポリエチレン、塩化ビニリデンコート延伸ポリプロピレン／ポリエチレン、塩化ビニリデンコートポリエチレンテレフタレート／ポリエチレン、アルミニウム蒸着ポリエチレンテレフタレート／ポリエチレン、アルミニウム蒸着ポリエチレンテレフタレート／ポリエチレンテレフタレート／ポリエチレン、アルミニウム蒸着ポリエチレンテレフタレート／ポリプロピレン／ポリエチレン、アルミニウム蒸着延伸ポリプロピレン／ポリエチレン、ポリエチレンテレフタレート／ポリエチレン／アルミニウム箔／ポリエチレン、ポリエチレンテレフタレート／アルミニウム箔／ポリエチレンなどである。
【００５１】
なお、樹脂製フィルム等の厚さは、上記したように、１０μｍ以上とするのが好ましく、具体的な範囲で言うと、１０〜１０００μｍが好ましい。また、アルミニウム箔の厚さは、６〜３０μｍが好ましく、塩化ビニリデンコーティングの厚さは、０．５〜１０μｍが好ましい。そして、アルミニウム蒸着膜の厚さは、３００〜９００Åが好ましい。
【００５２】
また、図６で示すように、防湿材料２６（防湿材料２２も同様）の内側に乾燥剤３０を装入すると、更に好適に合紙１２に含有されている水分量の維持管理ができる。つまり、合紙１２を保管する場所が防湿性のある場所でなく、例えば周囲が相対的に高湿となる場所になっても、乾燥剤３０を装入することにより、その合紙１２の防湿を好適に図ることができる。したがって、その合紙１２が重ね合わされる平版印刷版１０の画像形成面（塗布膜）における品質低下（損傷や変質）を防止することができる。
【００５３】
次に、本発明に係る合紙包装方法の作用について説明する。合紙１２は、平版印刷版１０に重ね合わされる作業時以外では（不使用時には）、防湿性のある材料２２、２４、２６で密封包装されて保管されている。すなわち、合紙１２は、通常コイル状に巻回されており、例えば、その外周面が防湿材料２２又は防湿材料２６で包み込まれるように周巻されて包装されるとともに、その両端面が同じ種類あるいは別の種類の防湿材料２４にて被覆されて包装され、更に、粘着テープ２０等の封着手段によって封止されて、密封包装されるようになっている。
【００５４】
具体的に図面を参照しながら説明すると、まず、図３（Ａ）で示すように、合紙１２の外周面に、幅が合紙１２の幅と略同じ大きさに形成され、坪量７５ｇ／ｍ２のクラフト紙と厚さ２０μｍの低密度ポリエチレン（ＬＤＰＥ）とで構成された、透湿度５０ｇ／ｍ２・２４ｈｏｕｒの防湿材料（以下、フィルムという場合がある）２２を、１周あるいは複数周（例えば２周）巻回する。そして、粘着テープ２０で、その胴巻き端部２２Ａを固定する。
【００５５】
次いで、フィルム２２で胴巻きされた合紙１２の左右両端面に、そのコイル状合紙１２の巻径と略同じ径の円形状段ボール２８をセットし、更に、図３（Ｂ）で示すように、それよりも少し大きい径の円形フィルム２４（フィルム２２と同構成）で、その段ボール２８を被覆する。そして、この円形フィルム２４のはみ出した周縁部を、合紙１２に胴巻きされているフィルム２２に重ね合わせ、粘着テープ２０で、その周縁部を封着することにより、合紙１２がフィルム２２、２４によって密封包装されることになる。
【００５６】
次に、図４について説明すると、まず最初に、図４（Ａ）で示すように、コイル状に巻回されている合紙１２の両端面に段ボール２８をセットし、更にその段ボール２８を円形フィルム２４で被覆する。そして、図４（Ｂ）で示すように、合紙１２の外周面に、合紙１２の幅より長幅なフィルム２６（フィルム２２と同構成）を、１周あるいは複数周（例えば３周）巻回する。このとき、フィルム２６の両端部は、図示するように、徐々に織り込まれるようにして、フィルム２４に重ね合わされる。
【００５７】
こうして、フィルム２６で合紙１２を包装したら、その胴巻き端部２６Ａを粘着テープ２０で固定するとともに、その両端部２６Ｂを粘着テープ２０で封着することにより、合紙１２がフィルム２６、２４によって密封包装されることになる。
【００５８】
なお、コイル状に巻回された合紙１２の両端部に段ボール２８をセットせず、フィルム２４のみで、その両端部を被覆するようにしてもよい。また、合紙１２の両端部にセットするのは、段ボール２８に限定されるものではなく、合紙１２の両端部を好適に押さえられるものであれば、例えばボール紙等の厚紙類でもよい。
【００５９】
また、図５で示すように、フィルム２６の幅を更に長く形成して、合紙１２の両端部をそのフィルム２６で被覆するようにしてもよい。すなわち、コイル状に巻回された合紙１２の外周面に、フィルム２６を１周あるいは複数周（例えば３周）巻回する。そして、その胴巻き端部２６Ａを粘着テープ２０で固定するとともに、その両端部２６Ｂを、図示するように、徐々に織り込むようにして集め、粘着テープ２０で封着する。これにより、合紙１２が密封包装されるが、この場合は、フィルム２４を設けなくて済むので、その分のコストダウンが図れる。
【００６０】
こうして、防湿材料（フィルム）２２、２４、２６で密封包装した合紙１２は、更に防湿性のある場所（湿度を好適に維持管理できる場所）にて保管し、使用時には再度防湿材料（フィルム）２２、２４、２６から取り出し、不使用時には再度防湿材料（フィルム）２２、２４、２６で密封包装して保管すればよく、これによって、合紙１２に含有されている水分量の変化を好適に抑制することができる。
【００６１】
なお、図６で示すように、防湿材料（例えばフィルム２６）の内側に、乾燥剤３０を装入して、より一層の防湿を図るようにしてもよい。このような構成にすれば、各包装体ごとに、より確実に合紙１２に含有されている水分量の変化を抑制する（水分量を維持管理する）ことができるようになるので、例えば防湿性がなく、周囲が相対的に高湿となる場所においても、合紙１２を保管することが可能となる。
【００６２】
【発明の効果】
以上、何れにしても本発明によれば、合紙を防湿性のある材料で密封包装するので、合紙の製造時から使用時までの間及び保管時から使用時までの間において、その合紙に含有されている水分量の変化を抑制することができる。よって、含有水分量の変化に起因する合紙の平面性不良などは発生しないので、それが重ね合わされる平版印刷版の画像形成面が損傷したり、変質したりすることはない。また、含有水分量の変化に起因して合紙が伸縮したりすることもないので、それが重ね合わされる平版印刷版の揃え不良も発生することがない。
【図面の簡単な説明】
【図１】合紙と交互に積層された平版印刷版とそれを包装する包装紙を示す概略斜視図
【図２】合紙と交互に積層された平版印刷版を包装紙で包装した状態を示す概略斜視図
【図３】（Ａ）合紙の胴部にフィルムが巻回された状態を示す概略斜視図
（Ｂ）フィルムが巻回された合紙の両端部を封止する様子を示す概略斜視図
（Ｃ）フィルムにより合紙が密封包装された状態を示す概略斜視図
【図４】（Ａ）合紙の両端部を封止する様子を示す概略斜視図
（Ｂ）合紙の胴部及び両端部をフィルムで包装していく様子を示す概略斜視図
（Ｃ）フィルムにより合紙が密封包装された状態を示す概略斜視図
【図５】（Ａ）合紙を示す概略斜視図
（Ｂ）合紙の胴部及び両端部をフィルムで包装していく様子を示す概略斜視図
（Ｃ）フィルムにより合紙が密封包装された状態を示す概略斜視図
【図６】フィルムの内側に乾燥剤が装入されている様子を示す一部破断概略斜視図
【符号の説明】
１０  平版印刷版
１２  合紙
２２〜２６  フィルム（防湿材料）
２８  段ボール
３０  乾燥剤
【図１】
2004168366.tif 000005
【図２】
2004168366.tif 000006
【図３】
2004168366.tif 000007
【図４】
2004168366.tif 000008
【図５】
2004168366.tif 000009
【図６】
2004168366.tif 000010